(57)【要約】【課題】  手間を掛けずに施工でき、しかも、従来よりもさらに接地抵抗を低減することができる接地極および接地極の施工方法を提供する。【解決手段】  板状の第二接地部材２を据え付け可能な埋設穴Ｈを掘削する掘削工程Ｓ１と、掘削工程Ｓ１の後に行う、埋設穴Ｈに少なくとも一本の第一接地部材２を打ち込む打ち込み工程Ｓ２と、打ち込み工程Ｓ２の後に行う、埋設穴Ｈに第二接地部材２を配置する配置工程Ｓ３と、配置工程Ｓ３の後に行う、第一接地部材２の一端に第二接地部材３を電気的に接続する連結工程Ｓ４と、連結工程Ｓ４の後に行う、接地電流を流す接地線とリード線とを接続する接続工程Ｓ５と、接続工程Ｓ５の後に行う、埋設穴Ｈを埋め戻す埋め戻し工程Ｓ６とを備える。【選択図】  図２
2010146938.tif 000002
【特許請求の範囲】
【請求項１】
地中に埋設して接地電流を大地に逃がすための接地極であって、地中に打ち込み可能な長尺状の第一接地部材と、第一接地部材の一端に電気的に接続される板状の第二接地部材と、第一接地部材または第二接地部材に電気的に接続され、接地電流を流す接地線と接続するリード線とを備えることを特徴とする接地極。
【請求項２】
地中に打ち込み可能な長尺状の第一接地部材と、第一接地部材の一端に電気的に接続される板状の第二接地部材と、第一接地部材または第二接地部材に電気的に接続され、接地電流を流す接地線と接続するリード線とを備え、地中に埋設して接地電流を大地に逃がすための接地極の施工方法であって、
第二接地部材を据え付け可能な埋設穴を掘削する掘削工程と、掘削工程の後に行う、埋設穴の底部から下方に向けて少なくとも一本の第一接地部材を打ち込む打ち込み工程、および、埋設穴の底部に第二接地部材を配置する配置工程と、打ち込み工程および配置工程の後に行う、または、打ち込み工程を配置工程の後に行う場合の打ち込み工程と同時に行う、第一接地部材の一端に第二接地部材を電気的に接続する連結工程と、連結工程の後に行う、埋設穴を埋め戻す埋め戻し工程と、いずれかの工程の前または後に行う、接地電流を流す接地線とリード線とを接続する接続工程とを備えることを特徴とする接地極の施工方法。
【請求項３】
地中に既に打ち込まれている長尺状の第一接地部材と、第一接地部材の一端に電気的に接続される板状の第二接地部材と、第二接地部材に電気的に接続され、接地電流を流す接地線と接続するリード線とを備え、地中に埋設して接地電流を大地に逃がすための接地極の施工方法であって、
第一接地部材の一端が掘り起こされるようにしつつ、第二接地部材を据え付け可能な埋設穴を掘削する掘削工程と、掘削工程の後に行う、埋設穴の底部に第二接地部材を配置する配置工程と、配置工程の後に行う、第一接地部材の一端に第二接地部材を電気的に接続する連結工程と、連結工程の後に行う、埋設穴を埋め戻す埋め戻し工程と、いずれかの工程の前または後に行う、接地電流を流す接地線とリード線とを接続する接続工程とを備えることを特徴とする接地極の施工方法。
【請求項４】
打ち込み工程の後から埋設工程の前までにおける第一接地部材の周囲の土壌、および／または、連結工程の後から埋設工程の前までにおける第二接地部材の周囲の土壌の少なくともいずれか一方の土壌に対し、接地電流を大地へ逃がしやすくするための接地抵抗低減剤を注入する地質改善工程をさらに備える請求項２または３のいずれかに記載の接地極の施工方法。
【請求項５】
第一接地部材の周囲の土壌に対して接地抵抗低減剤を注入するか否かを確認すべく、打ち込み工程の後から埋設工程の前までにおける第一接地部材の接地抵抗を測定する測定工程、および／または、第二接地部材の周囲の土壌に対して接地抵抗低減剤を注入するか否かを確認すべく、連結工程の後から埋設工程の前までにおける連結された第一接地部材および第二接地部材の接地抵抗を測定する測定工程をさらに備える請求項４に記載の接地極の施工方法。
【発明の詳細な説明】
【技術分野】
【０００１】
本発明は、変圧器、避雷器、高圧機器等、電力設備を接地するために、コンクリート柱や木柱、複合鉄筋コンクリート柱、鋼管柱（以下、単に「電柱」という）に近接する場所の地中に埋設して接地電流を大地に逃がすための接地極および接地極の施工方法であって、特に、接地抵抗を低減することを可能とする接地極および接地極の施工方法に関する。
【背景技術】
【０００２】
変圧器、避雷器、高圧機器等、電力設備を架設する電柱には、落雷や漏電による事故を防ぐために、電気設備に関する技術基準を定める省令（以下、「省令」という）により、接地対策を義務付けられている。この接地対策に伴う接地工事は、電柱に近接する場所の地中に接地極を埋設して、その接地極と電力設備を中継するために電柱に取り付けられる接地端子に接地極を接続する工事である。これによって、接地された電力設備は、設備の運転の障害となる異常電流（以下、「接地電流」という）が生じると、その接地電流が接地端子を経由して接地極に流れ、接地極から接地電流を大地に逃がして、故障を未然に防ぐことができる。
【０００３】
そして、この接地工事で使用される接地極は、主に、導電性を有する棒状の接地棒や、この接地棒同士を連結することで地中に深く打ち込むことができる連結式接地棒（特許文献１および２）などがある。
【特許文献１】実開昭４９−５２０３６号公報
【特許文献２】特開平０９−２９８０７３号公報
【発明の開示】
【発明が解決しようとする課題】
【０００４】
ところで、接地工事は、省令により、電力設備の種類毎に必要とされる接地抵抗値が決められており、また、接地極は、地表から７５ｃｍ以上の深さに埋設しなければならない。よって、従来の接地棒もしくは連結式接地棒の接地工事では、深さ７５ｃｍ以上の埋設穴を逆円錐状に掘削し、その埋設穴の底部から接地棒もしくは連結式接地棒をハンマーなどで地中に打ち込んでいた。
【０００５】
しかし、接地棒もしくは連結式接地棒の接地抵抗が省令で定める接地抵抗値を満足することができないときは、埋設した接地棒もしくは連結式接地棒から数メートル離した位置に、新たに埋設穴を掘削し、接地棒もしくは連結式接地棒を埋設しなければならず、接地抵抗が省令で定める接地抵抗値を満足するまで続ける必要があった。よって、掘削場所が礫質の地質などで、接地抵抗が落ちにくい場所で行われる接地工事は、接地棒もしくは連結式接地棒を複数ヶ所に打ち込む必要があり、その都度、埋設深さ７５ｃｍ以上の埋設穴を掘るため、多大な労力や費用が伴っていた。
【０００６】
よって、本発明は、かかる事情に鑑み、手間を掛けずに施工することができ、しかも、さらに接地抵抗を低減することができる接地極および接地極の施工方法を提供することを課題とする。
【課題を解決するための手段】
【０００７】
本発明に係る接地極は、地中に埋設して接地電流を大地に逃がすための接地極であって、地中に打ち込み可能な長尺状の第一接地部材と、第一接地部材の一端に電気的に接続される板状の第二接地部材と、第一接地部材または第二接地部材に電気的に接続され、接地電流を流す接地線と接続するリード線とを備えることを特徴とする。
【０００８】
かかる構成によれば、第二接地部材を据え付け可能な形状に埋設穴を掘削することで、手間を掛けずに、１箇所の埋設穴に対して、第一接地部材および第二接地部材の埋設を一緒に行うことができる。さらに、本発明に係る接地極の１箇所あたりの埋設穴で得られる接地抵抗は、地表から深さ方向に向かって第一接地部材を打ち込むことで低減し、さらに、板状の第二接地部材で土壌との接触面積を広げることで低減することができる。よって、従来の接地工事よりもさらに接地抵抗を低減することができる。
【０００９】
また、本発明に係る接地極の施工方法は、地中に打ち込み可能な長尺状の第一接地部材と、第一接地部材の一端に電気的に接続される板状の第二接地部材と、第一接地部材または第二接地部材に電気的に接続され、接地電流を流す接地線と接続するリード線とを備え、地中に埋設して接地電流を大地に逃がすための接地極の施工方法であって、第二接地部材を据え付け可能な埋設穴を掘削する掘削工程と、掘削工程の後に行う、埋設穴の底部から下方に向けて少なくとも一本の第一接地部材を打ち込む打ち込み工程、および、埋設穴の底部に第二接地部材を配置する配置工程と、打ち込み工程および配置工程の後に行う、または、打ち込み工程を配置工程の後に行う場合の打ち込み工程と同時に行う、第一接地部材の一端に第二接地部材を電気的に接続する連結工程と、連結工程の後に行う、埋設穴を埋め戻す埋め戻し工程と、いずれかの工程の前または後に行う、接地電流を流す接地線とリード線とを接続する接続工程とを備えることを特徴とする。
【００１０】
かかる構成によれば、最初の掘削工程で第二接地部材を据え付け可能な形状に埋設穴を掘削することで、その後の工程で埋設穴を掘り直す必要はなく、手間を掛けずに、１箇所の埋設穴に対して、第一接地部材および第二接地部材の埋設を一緒に行うことができる。さらに、本発明に係る接地極の１箇所あたりの埋設穴で得られる接地抵抗は、地表から深さ方向に向かって第一接地部材を打ち込むことで低減し、さらに、板状の第二接地部材を埋設穴の底面に配置することで低減することができる。よって、従来の接地工事よりもさらに接地抵抗を低減することができる。
【００１１】
また、本発明に係る接地極の施工方法は、地中に既に打ち込まれている長尺状の第一接地部材と、第一接地部材の一端に電気的に接続される板状の第二接地部材と、第二接地部材に電気的に接続され、接地電流を流す接地線と接続するリード線とを備え、地中に埋設して接地電流を大地に逃がすための接地極の施工方法であって、第一接地部材の一端が掘り起こされるようにしつつ、第二接地部材を据え付け可能な埋設穴を掘削する掘削工程と、掘削工程の後に行う、埋設穴の底部に第二接地部材を配置する配置工程と、配置工程の後に行う、第一接地部材の一端に第二接地部材を電気的に接続する連結工程と、連結工程の後に行う、埋設穴を埋め戻す埋め戻し工程と、いずれかの工程の前または後に行う、接地電流を流す接地線とリード線とを接続する接続工程とを備えることを特徴とする。
【００１２】
かかる構成によれば、最初の掘削工程で、地中に既に打ち込まれている第一接地部材の一端を掘り起こし、第二接地部材を据え付け可能な形状に埋設穴を掘削することで、その後の工程で埋設穴を掘り直す必要はなく、手間を掛けずに、１箇所の埋設穴に対して、打ち込まれていた第一接地部材に第二接地部材を連結することができ、また、掘削工程前から打ち込まれていた第一接地部材および第二接地部材の埋設を一緒に行うことができる。
【００１３】
さらに、本発明に係る接地極の１箇所あたりの埋設穴で得られる接地抵抗は、打ち込まれていた第一接地部材で低減し、さらに、板状の第二接地部材で土壌との接触面積を広げることで低減することができる。よって、従来の接地工事よりもさらに接地抵抗を低減することができる。
【００１４】
また、本発明に係る接地極の施工方法は、打ち込み工程の後から埋設工程の前までにおける第一接地部材の周囲の土壌、および／または、連結工程の後から埋設工程の前までにおける第二接地部材の周囲の土壌の少なくともいずれか一方の土壌に対し、接地電流を大地へ逃がしやすくするための接地抵抗低減剤を注入する地質改善工程をさらに備えるようにすることもできる。
【００１５】
かかる構成によれば、接地抵抗低減剤により第一接地部材および／または第二接地部材の周囲の土壌を地質改善することで、手間を掛けずに、接地抵抗をさらに低減することができる。
【００１６】
また、そのような場合、第一接地部材の周囲の土壌に対して接地抵抗低減剤を注入するか否かを確認すべく、打ち込み工程の後から埋設工程の前までにおける第一接地部材の接地抵抗を測定する測定工程、および／または、第二接地部材の周囲の土壌に対して接地抵抗低減剤を注入するか否かを確認すべく、連結工程の後から埋設工程の前までにおける連結された第一接地部材および第二接地部材の接地抵抗を測定する測定工程をさらに備えるようにすることができる。
【００１７】
かかる構成によれば、第一接地部材や第二接地部材の接地抵抗を測定することで、その測定結果により、地質改善工程を行う必要があるか否かを確認することができる。
【発明の効果】
【００１８】
以上の如く、本発明に係る接地極および接地極の施工方法は、１箇所の埋設穴に対して、第一接地部材および第二接地部材の埋設を一緒に行うことができるため、手間を掛けずに施工することができ、しかも、従来よりもさらに接地抵抗を低減することができるという優れた効果を奏する。
【発明を実施するための最良の形態】
【００１９】
以下、本発明に係る接地極の実施形態について、図面を参酌しつつ、説明する。
【００２０】
＜第一実施形態＞
まず、第一実施形態に係る接地極の構造について、図１および図２を参酌しつつ説明する。第一実施形態に係る接地極１は、導電性を有する長尺状の丸棒である第一接地部材２と、第一接地部材２の一端（上端）に電気的に接続され、導電性を有する円板状の第二接地部材３と、電柱Ｐに取り付けられている接地端子Ｐ１と第二接地部材３とを電気的につなぐリード線４とを備えている。なお、電柱Ｐに備えられる接地端子Ｐ１は、変圧器、避雷器、高圧機器等、電力設備と接地極１とをつなぐ中継端子である。よって、リード線４は、接地端子Ｐ１を介して、接地電流を流す接地線と接続されている。
【００２１】
第一接地部材２は、均一厚さの被覆銅管に鋼棒を挿入して密着させている銅覆鋼棒５と、銅覆鋼棒５の一端（下端）を尖らせている先端部６と、銅覆鋼棒５の他端（上端）に第二接地部材３を連結可能な筒状の連結部７とを備えている。また、第一接地部材２を地中に打ち込むときに、連結部７に嵌め込んで使用するクサビ（図示しない）が第一接地部材２に付属されている。なお、連結部７は、銅覆鋼棒５を一部挿入した状態で外部から圧縮することにより接続される筒状部材からなる。
【００２２】
よって、第一接地部材２は、先端が尖っている先端部６を地面に向け、連結部７に挿入されたクサビをハンマーなどで叩くことで、容易に、地中に打ち込むことができるようになっている。また、クサビは、銅覆鋼棒５、もしくは、連結部７を、直接、ハンマーなどで叩きつけないようにして、第一接地部材２を傷めないようにするものである。
【００２３】
一方、第二接地部材３は、放射状に均一の幅を有する複数の切り込みがあり、その切り込みの一辺に均一の高さの板部材を備える円形の円板部９と、（円板板９の外縁部にて）円板部９とリード線４とを接続するリード端子１０と、釘形状（あるいはピン形状）をしており、その胴部が連結部７の内径と略同等の外径を有する連結具１１とを備えている。また、円板部９は、略中心を貫通する挿入口１２を備えている。連結具１１は、第一接地部材２の連結部７に差し込むことで固定可能であり、摩擦力で抜けにくい構造となっている。
【００２４】
そこで、第二接地部材３は、第一接地部材２の連結部７の開口と第二接地部材３の挿入口１２とを合わせて、その開口に連結具１１を差し込んで連結することができる。また、このようにして連結することで、第二接地部材３は、第一接地部材２と通電する上で許容可能な抵抗で電気的に接続することができる。ここで、許容可能な抵抗とは、少なくとも、土壌と第二接地部材３との接触抵抗より低い抵抗であり、よって、第一接地部材２、もしくは、第二接地部材３のいずれかに接地電流が流れても、第一接地部材２と第二接地部材３の両方から土壌に接地電流を流すことができるようになっている。
【００２５】
次に、第一実施形態に係る接地極１の施工方法について、図２を参酌しつつ説明する。まず、第一実施形態に係る接地極１の施工方法は、第二接地部材３を据え付け可能な埋設穴Ｈを掘削する掘削工程Ｓ１と、掘削工程Ｓ１の後に行う、埋設穴Ｈの底部Ｈ１から下方に向けて第一接地部材２を打ち込む打ち込み工程Ｓ２と、打ち込み工程Ｓ２の後に行う、埋設穴Ｈの底部Ｈ１に第二接地部材３を配置する配置工程Ｓ３と、配置工程Ｓ３の後に行う、第一接地部材２の一端に第二接地部材３を電気的に接続する連結工程Ｓ４と、連結工程Ｓ４の後に行う、接地電流を流す接地線とリード線４とを接続する接続工程Ｓ５と、接続工程Ｓ５の後に行う、埋設穴Ｈを埋め戻す埋め戻し工程Ｓ６と、埋め戻し工程Ｓ６の後に行う、第一接地部材２と第二接地部材３とを連結した接地極１の接地抵抗を測定する測定工程Ｓ７とを備えている。
【００２６】
次に、工程ごとの施工方法について、より具体的に説明する。まず、掘削工程Ｓ１では、掘削する埋設穴Ｈの深さは、底部Ｈ１が省令により定められた所望の深さである７５ｃｍ以上とする。また、埋設穴Ｈの底部Ｈ１は、第二接地部材３を水平に据え付け可能なように略円柱状に掘削する。ただし、埋設深さは、第二接地部材３を据え付けた状態でも所望の深さとなるように、第二接地部材３を第一接地部材２に連結した状態で、第一接地部材２の上端を超える高さを考慮した深さとする。
【００２７】
打ち込み工程Ｓ２では、第一接地部材２を打ち込む位置は、第一接地部材２と第二接地部材３を連結したときに、円板部９やリード端子１０が埋設穴Ｈの壁と干渉しないように、埋設穴Ｈの略中央とする。そして、埋設穴Ｈの略中央に第一接地部材２の先端部６をあてて、連結部７に嵌めた状態のクサビをハンマーなどで叩き、地中に打ち込んでいく。そして、第一接地部材２は、所望の深さを超えるまで打ち込まれ続ける。
【００２８】
配置工程Ｓ３では、第二接地部材３は、第一接地部材２の連結部７の開口と第二接地部材３の挿入口１２とを合わせて、埋設穴Ｈの底部Ｈ１に配置する。このとき、埋設穴Ｈの底部Ｈ１の面に面するように第二接地部材３を配置する。
【００２９】
連結工程Ｓ４では、第二接地部材３は、第一接地部材２の開口に連結具１１を差し込んで連結する。そして、第二接地部材３は、第一接地部材２と直角に円板部９が連結されるため、第一接地部材２を地中に対して垂直に打ち込むと、埋設穴Ｈの底部Ｈ１と水平となる。よって、埋設穴Ｈの深さは、板状である円板部９の厚さ分を考慮して掘削するだけで、大きく掘り下げる必要がない。よって、従来のような接地棒や連結式接地棒などの掘削穴Ｈの深さとほとんど変らないため、掘削に係る労力が増加するようなことはない。
【００３０】
接続工程Ｓ５では、第二接地部材３に接続されたリード線４を、電柱Ｐの接地端子Ｐ１に接続する。リード線４は、地表から所望の深さ以上から地表から所定高さまでを合成樹脂管で保護し、それ以外では、直接埋設する。
【００３１】
埋め戻し工程Ｓ６では、埋設穴Ｈは、掘削した土壌などで埋め戻し、整地する。
【００３２】
測定工程Ｓ７では、第一接地部材２と第二接地部材３とを連結した接地極１の接地抵抗を測定し、所望の接地抵抗を確保できていることを確認する。このとき、測定した結果より、接地抵抗が所望の接地抵抗から不足するときは、埋設した接地極１から、数ｍほど離して、新たに接地極１を埋設する。そして、所望の接地抵抗が確保されるまで繰り返し接地極１を施工し、所望の接地抵抗が確保されれば、接地工事を完了する。
【００３３】
よって、第一実施形態に係る接地極１は、従来のような接地棒や連結式接地棒などの接地極と異なり、第一接地部材２と第二接地部材３とを備えているにもかかわらず、その埋設穴Ｈは、従来とほとんど変らない掘削深さで、かつ、逆円錐状に掘削するのとほとんど変らない円柱状に掘削するだけなので、手間を掛けずに、第一接地部材２と第二接地部材３を埋設することができる。さらに、第一実施形態に係る接地極１は、第一接地部材２と第二接地部材３の両方から接地電流を流すことができ、第一接地部材２と第二接地部材３との両方により接地抵抗を低減することができ、１ヶ所あたりの埋設穴Ｈの接地抵抗も低減され、埋設穴Ｈを掘削する数を減らすことができる。
【００３４】
第一実施形態に係る接地極１についての説明は以上である。次に、第二実施形態に係る接地極について、図３および図４を参酌しつつ説明する。なお、第一実施形態に係る接地極１と同様な部分については、同一符号をふり、説明を省略するものとする。
【００３５】
＜第二実施形態＞
まず、第二実施形態に係る接地極１Ａの構造について、図３を参酌しつつ説明する。第二実施形態に係る接地極１Ａは、第一実施形態と同様に、第一接地部材２と、第二接地部材３Ａと、リード線４とを備えている。そして、第二接地部材３Ａは、円板部９Ａと、リード端子１０とを備えている。しかし、第二実施形態に係る円板部９Ａは、略中心に、銅覆鋼棒５を挿入可能な筒状の連結部１１Ａを備えている。連結部１１Ａは、第一接地部材２の銅覆鋼棒５が差し込まれることで固定可能であり、摩擦力で抜けにくい構造となっている。
【００３６】
そこで、第二接地部材３Ａは、第一接地部材２の銅覆鋼棒５に連結部１１Ａを外嵌して連結することができる。また、このようにして連結することで、第二接地部材３Ａは、第一接地部材２と通電する上で許容可能な抵抗で電気的に接続することができる。
【００３７】
次に、第二実施形態に係る接地極１Ａの施工方法について、図４を参酌しつつ説明する。まず、第二実施形態に係る接地極１Ａの施工方法は、第二接地部材３Ａを据え付け可能な埋設穴Ｈを掘削する掘削工程Ｓ１０１と、掘削工程Ｓ１０１の後に行う、埋設穴Ｈの底部Ｈ１から下方に向けて第一接地部材２を打ち込み、第一接地部材２の地表から所望の深さ以下の部分を切断する打ち込み工程Ｓ１０２と、打ち込み工程Ｓ１０２の後に行う、埋設穴Ｈに第二接地部材３を配置する配置工程Ｓ１０３と、配置工程Ｓ１０３の後に行う、第一接地部材２の一端に第二接地部材３Ａを電気的に接続する連結工程Ｓ１０４と、連結工程Ｓ１０４の後に行う、接地電流を流す接地線とリード線４とを接続する接続工程Ｓ１０５と、接続工程Ｓ１０５の後に行う、埋設穴Ｈを埋め戻す埋め戻し工程Ｓ１０６と、埋め戻し工程Ｓ１０６の後に行う、第一接地部材２と第二接地部材３とを連結した接地極の接地抵抗を測定する測定工程Ｓ１０７とを備えている。
【００３８】
次に、工程ごとの施工方法について、より具体的に説明する。まず、掘削工程Ｓ１０１では、第一実施形態と同様に、掘削する埋設穴Ｈの深さを所望の深さ以上とし、埋設穴Ｈの底部Ｈ１は、第二接地部材３Ａを水平に据え付け可能なように略円柱状に掘削する。
【００３９】
打ち込み工程Ｓ１０２では、第一実施形態と同様に、埋設穴Ｈの略中央に第一接地部材２の先端部６をあてて、連結管７に嵌めた状態のクサビをハンマーなどで叩き、地中に打ち込んでいく。そして、第一接地部材２は、所望の深さを超えるまで打ち込まれ続ける。しかし、第一接地部材２の打ち込み中に、第一接地部材２の先端部６が岩Ｒなどの障害物にその進路を妨げられ、第一接地部材２を所望深さ以上に打ち込みことが困難となることがある。このようなときは、第一接地部材２の所望深さ以下の部分を電動工具などで切断し、第一接地部材２が所望深さ以上になるようにする。
【００４０】
配置工程Ｓ１０３では、打ち込み工程Ｓ１０２で第一接地部材２が所望深さ以上になるように第一接地部材２を切断しており、そのときに、第一接地部材２の連結部７も切断されてしまうことがある。よって、第二接地部材３Ａは、連結部７も切断された第一接地部材２の銅覆鋼棒５に連結部１１Ａに合わせて、配置する。このとき、埋設穴Ｈの底部Ｈ１の面に面するように第二接地部材３を配置する。
連結工程Ｓ１０４では、第二接地部材３Ａは、連結部７も切断された第一接地部材２の銅覆鋼棒５に連結部１１Ａを外嵌して連結する。そして、第二接地部材３Ａは、第一接地部材２と直角に円板部９が連結されるため、第一接地部材２を地中に対して垂直に打ち込むと、埋設穴Ｈの底部Ｈ１と水平となる。よって、埋設穴Ｈの深さは、板状である円板部９Ａの厚さ分を考慮して掘削するだけで、大きく掘り下げる必要がない。よって、従来のような接地棒や連結式接地棒などの掘削穴の深さとほとんど変らないため、掘削に係る労力が増加するようなことはない。
【００４１】
接続工程Ｓ１０５は、第一実施形態と同様に、リード線４を接地端子Ｐ１に接続する。また、埋め戻し工程Ｓ１０６は、第一実施形態と同様に、埋設穴Ｈは、掘削した土壌などで埋め戻し、整地される。測定工程Ｓ１０７は、第一実施形態と同様に、第一接地部材２と第二接地部材３Ａとを連結した接地極１Ａの接地抵抗を測定し、所望の接地抵抗を確保できていることを確認する。このとき、測定した結果より、接地抵抗が所望の接地抵抗から不足するときは、埋設した接地極１Ａから、数ｍほど離して、新たに接地極１Ａを埋設する。そして、所望の接地抵抗が確保されるまで繰り返し接地極１Ａを施工し、所望の接地抵抗が確保されれば、接地工事を完了する。
【００４２】
よって、第二実施形態に係る接地極１Ａは、従来のような接地棒や連結式接地棒などの接地極と異なり、第一接地部材２と第二接地部材３Ａとを備えているにもかかわらず、その埋設穴Ｈは、従来とほとんど変らない掘削深さで、かつ、逆円錐状に掘削するのとほとんど変らない円柱状に掘削するだけなので、手間を掛けずに、第一接地部材２と第二接地部材３Ａを埋設することができる。さらに、第二実施形態に係る接地極１Ａは、第一接地部材２と第二接地部材３Ａの両方から接地電流を流すことができ、第一接地部材２と第二接地部材３Ａとの両方により接地抵抗を低減することができ、１箇所あたりの埋設穴Ｈの接地抵抗も低減され、埋設穴Ｈを掘削する数を減らすことができる。
【００４３】
なお、第二実施形態に係る接地極１Ａの施工方法は、既設の接地棒や連結式接地棒などの接地極の接地抵抗が不足するなどにより、接地抵抗を低減する接地極の改修においても適用することができる。よって、接地極の改修における接地極１Ａの施工方法は、第二接地部材３Ａを据え付け可能な埋設穴Ｈを掘削して、第一接地部材２の一端を掘り起こす掘削工程と、掘削工程後に行う、埋設穴Ｈに第二接地部材３Ａを配置する配置工程と、配置工程後に行う、既設の第一接地部材２の一端に第二接地部材３Ａを電気的に接続する連結工程と、連結工程後に行う、埋設穴Ｈを埋め戻す埋め戻し工程とを備える。よって、既設の接地棒もしくは連結式接地棒の第一接地部材２を流用するため、第一接地部材２の一端に取り付けられたリード端子を取り外し、切断された第一接地部材２の一端に連結部７が残らなかったときに有効である。
【００４４】
第二実施形態に係る接地極１Ａについての説明は以上である。次に、第三実施形態に係る接地極について、図５および図６を参酌しつつ説明する。なお、第一および第二実施形態に係る接地極１、１Ａと同様な部分については、同一符号を振り、説明を省略するものとする。
【００４５】
＜第三実施形態＞
まず、第三実施形態に係る接地極１Ｂの構造について、図５を参酌しつつ説明する。第三実施形態に係る接地極１Ｂは、第一・第二実施形態と同様に、第一接地部材２と、第二接地部材３Ｂと、リード線４とを備えている。そして、第二接地部材３Ｂは、円板部９Ｂと、リード端子１０とを備えている。しかし、第三実施形態に係る円板部９Ｂは、略中心を貫通し、口径が連結部７の外径より広い挿入口１２Ｂと、その挿入口１２Ｂの縁に略全周に渡って、径内方向に延在する弾性の可撓部１３Ｂとを備えている。
【００４６】
よって、第二接地部材３Ｂは、円板部９Ｂの挿入口１２Ｂに第一接地部材２を通すことで、可撓部１３Ｂが押し曲げられ、可撓部１３Ｂの反発力によって、第一接地部材２（の外周面）に可撓部１３Ｂが押し付けられるため、連結することができる。また、このようにして連結することで、第二接地部材３Ｂは、第一接地部材２と通電する上で許容可能な抵抗で電気的に接続することができる。
【００４７】
次に、第三実施形態に係る接地極１Ｂの施工方法について、図６を参酌しつつ説明する。まず、第三実施形態に係る接地極１Ｂの施工方法は、第二接地部材３Ｂを据え付け可能な埋設穴Ｈを掘削する掘削工程Ｓ２０１と、掘削工程Ｓ２０１の後に行う、埋設穴Ｈの底部Ｈ１に第二接地部材３Ｂを配置する配置工程Ｓ２０２と、配置工程Ｓ２０２の後に行う、埋設穴Ｈに第一接地部材２を打ち込む打ち込み工程Ｓ２０３と、打ち込み工程Ｓ２０３と同時に行う、第一接地部材２の一端に第二接地部材３Ｂを電気的に接続する連結工程Ｓ２０４と、連結工程Ｓ２０４の後に行う、接地電流を流す接地線とリード線４とを接続する接続工程Ｓ２０５と、接続工程Ｓ２０５の後に行う、埋設穴Ｈを埋め戻す埋め戻し工程Ｓ２０６と、埋め戻し工程Ｓ２０６の後に行う、第一接地部材２と第二接地部材３Ｂとを連結した接地極１Ｂの接地抵抗を測定する測定工程Ｓ２０７とを備えている。
【００４８】
次に、工程ごとの施工方法について、より具体的に説明する。まず、掘削工程Ｓ２０１では、第一実施形態と同様に、掘削する埋設穴Ｈの深さを所望の深さ以上とし、埋設穴Ｈの底部Ｈ１は、第二接地部材３Ａを水平に据え付け可能なように略円柱状に掘削する。
【００４９】
配置工程Ｓ２０２では、第三接地部材３Ｂを配置する位置は、第一接地部材２と第二接地部材３Ｂを連結したときに、円板部９Ｂやリード端子１０が埋設穴Ｈの壁と干渉しないように、埋設穴Ｈの略中央とする。
【００５０】
打ち込み工程Ｓ２０３では、円板部９Ｂの挿入口１２Ｂに第一接地部材２の先端部６をあてて、連結管７に嵌めた状態のクサビをハンマーなどで叩き、地中に打ち込む。そして、第一接地部材２は、所望の深さを超えるまで打ち込まれ続ける。このとき、埋設穴Ｈの壁が崩れても、第一接地部材２の打ち込みが可能であれば、掘り起こさなくてもよい。
【００５１】
連結工程Ｓ２０４は、打ち込み工程Ｓ２０３で第一接地部材２を第二接地部材３Ｂに通すことで、第一接地部材２に可撓部１３Ｂが押し付けられて連結している。そして、第二接地部材３Ｂは、第一接地部材２と直角に円板部９Ｂが連結されるため、第一接地部材２を地中に対して垂直に打ち込むと、埋設穴Ｈの底部Ｈ１と水平となる。よって、埋設穴Ｈの深さは、板状である円板部９Ｂの厚さ分を考慮して掘削するだけで、大きく掘り下げる必要がない。よって、従来のような接地棒や連結式接地棒などの掘削穴の深さとほとんど変らないため、掘削に係る労力が増加するようなことはない。
【００５２】
接続工程Ｓ２０５は、第一・第二実施形態と同様に、リード線４を接地端子Ｐ１に接続する。また、埋め戻し工程Ｓ２０６は、第一・第二実施形態と同様に、埋設穴Ｈは、掘削した土壌などで埋め戻し、整地される。測定工程Ｓ２０７は、第一・第二実施形態と同様に、第一接地部材２と第二接地部材３Ｂとを連結した接地極１Ｂの接地抵抗を測定し、所望の接地抵抗を確保できていることを確認する。このとき、測定した結果より、接地抵抗が所望の接地抵抗から不足するときは、埋設した接地極１Ｂから、数ｍほど離して、新たに接地極１Ｂを埋設する。そして、所望の接地抵抗が確保されるまで繰り返し接地極１Ｂを施工し、所望の接地抵抗が確保されれば、接地工事を完了する。
【００５３】
よって、第三実施形態に係る接地極１Ｂは、従来のような接地棒や連結式接地棒などの接地極と異なり、第一接地部材２と第二接地部材３Ｂとを備えているにもかかわらず、その埋設穴Ｈは、従来とほとんど変らない掘削深さで、かつ、逆円錐状に掘削するのとほとんど変らない円柱状に掘削するだけなので、手間を掛けずに、第一接地部材２と第二接地部材３Ｂを埋設することができる。さらに、第三実施形態に係る接地極１Ｂは、第一接地部材２と第二接地部材３Ｂの両方から接地電流を流すことができ、第一接地部材２と第二接地部材３Ｂとの両方により接地抵抗を低減することができ、１箇所あたりの埋設穴Ｈの接地抵抗も低減され、埋設穴Ｈを掘削する数を減らすことができる。
【実施例】
【００５４】
次に、本発明に係る接地極の効果を検証すべく、図７を参酌しつつ、従来の連結式接地棒の実施例と本発明に係る接地極の実施例とを比較して、説明する。まず、従来の実施例の条件Ａは、１．５ｍの連結式接地棒１Ｃを２本連結して埋設し、接地抵抗低減剤を使用していない（図７（ａ））。本発明に係る接地極の実施例の条件Ｂは、１．５ｍの第一接地部材を２本連結し、直径３０ｃｍの第二接地部材３を連結した接地極１を埋設し、接地抵抗低減剤を使用していない（図７（ｂ））。また、本発明に係る接地極の実施例の条件Ｃは、１．５ｍの第一接地部材を２本連結し、直径３０ｃｍの第二接地部材３を連結した接地極１を埋設している。さらに、第一接地部材２の周囲の土壌に接地抵抗低減剤を３（１／２袋）ｋｇ注入し、第二接地部材３に接地抵抗低減剤を３（１／２袋）ｋｇ注入した土壌を埋め戻している（図７（ｃ））。また、掘削穴Ｈは、条件ＡおよびＢでは、高さ０．７５ｍ、直径０．３ｍの円筒状に、条件Ｃでは、高さ０．７５ｍ、直径０．３ｍの円錐状に掘削するものとする。この結果、条件Ｃと比較して、条件Ａは、２０％低減され、条件Ｂは、４０％低減された。よって、本発明による接地極、および、接地極の施工方法は、接地抵抗を低減するのに効果があるものである。
【００５５】
なお、本発明は、上記実施形態に限定されず、本発明の要旨を逸脱しない範囲で様々な変更が可能である。
【００５６】
例えば、上記実施形態において、第二接地部材は、導電性を有する円板状である例について説明したが、これに限定されるものではなく、土壌との接触面積を広く得ることができればよく、また、埋設するのに都合がよい形状であればよい。具体的には、埋設穴Ｈの底の形状が略楕円形や略四角形状であれば、その埋設穴Ｈの底の形状に合わせて、略楕円形や略四角形状とするものであってもよい。また、上記実施形態において、放射状に均一の幅を有する複数の切り込みがあり、その切り込みの一辺に均一の高さの板部材を備えることに限られず、切り込みや板部材が付いていない形状であってもよいし、らせん状に切れ込みがあり、このらせん状に切り込まれた終端部分にリード端子に備えた円板状の第二接地部材であって、埋設穴の底部に広げて据え付ける形状であってもよい。
【００５７】
また、上記実施形態において、第一接地部材の銅覆鋼棒は、導電性を有する長尺状の丸棒である例について説明したが、これに限定されるものではなく、側面に均一に注出口が設けられた長尺状の円筒であってもよく、連結管から接地抵抗低減剤を注入すると、銅覆鋼棒の内部を通り、側面に設けられた注出口から土壌に注入するようにしてもよい。よって、第一接地部材を打ち込んだあと、必要に応じて、接地抵抗低減剤を容易に注入することができるため、接地抵抗の低減することができ、よって、従来の接地極と比較して、１ヶ所あたりの埋設穴Ｈの接地抵抗が低減されているため、埋設穴Ｈを掘削する数も減らすことができる。
【００５８】
また、上記実施形態に係る打ち込み工程は、１本の第一接地部材を地中に打ち込む例について説明したが、これに限定されるものではなく、打ち込まれた第一接地部材の連結管７に、別の第一接地部材の先端部６を連結して、第一接地部材を延長させて、さらに深く打ち込むようにしてもよい。
【００５９】
また、上記実施形態に係るリード線４は、接地端子Ｐ１と第二接地部材とを電気的につなぐ例について説明したが、これに限定されるものではなく、接地端子Ｐ１と接地極とを電気的につなぐものであればよく、例えば、接地端子Ｐ１と第一接地部材とを電気的につなぐものであってもよい。
【００６０】
また、上記実施形態に係る第一接地部材と第二接地部材との連結方法は、例えば、連結具１１を連結管７に打ち込む例や、銅覆鋼棒５を連結部１１Ａに打ち込む例を説明したが、これに限定されるものではなく、溶接で接続するものであってもよいし、連結管７や連結部１１Ａを圧縮して、連結具１１や銅覆鋼棒５を接続する圧縮接続や、連結管７や連結部１１Ａの口径を連結具１１や銅覆鋼棒５に対して若干小さい口径の部分を有し、先端を尖らせた連結具１１や銅覆鋼棒５を連結管７や連結部１１Ａに挿入して圧着接続するものであってもよい。
【００６１】
また、上記実施形態に係る接地極の施工方法は、接続工程を電柱に取り付けられた接地端子とリード線とを接続するのを連結工程後とする例について説明したが、これに限定されるものではなく、接地電流を流す接地線とリード線とを接続することができればよく、いずれかの工程の前または後に行うものであってもよい。また、埋設工程後に接続工程を行う場合は、埋設工程で接地線と接続する端子を埋設しないようにしておき、接続工程で接地端子とリード線を接続するようにしてもよい。
【００６２】
また、本実施形態に係る接地極の施工方法は、地質改善工程をさらに加えて、１ヶ所あたりの埋設穴Ｈの接地抵抗を低減させるようにしてもよい。具体的には、打ち込み工程後に第一接地部材の接地抵抗を測定する測定工程と、この測定工程の結果より、所望の接地抵抗が確保されていないときに、埋設穴Ｈより接地低減剤を注入し、第一接地部材の周囲の土壌を地質改善する地質改善工程とを備える接地極の施工方法であってもよい。また、連結工程および接続工程後に第一接地部材と第二接地部材の接地抵抗を測定する測定工程と、この測定工程の結果より、所望の接地抵抗を確保されていないときに、埋め戻し工程で埋設穴Ｈに埋め戻す土壌に接地抵抗低減剤を染み込ませて、埋設穴Ｈを埋め戻し、第二接地部材の周囲の土壌を地質改善する地質改善工程とを備える接地極の施工方法であってもよい。よって、この接地極の施工方法は、さらに、第一接地部材と第二接地部材との接地抵抗を低減することができ、従来の接地極と比較して、１ヶ所あたりの埋設穴Ｈの接地抵抗が低減されているため、埋設穴Ｈを掘削する数も減らすことができる。
【００６３】
また、本実施形態に係る接地極の施工方法は、打ち込み工程後、および／または、連結工程後、および／または、打ち込み工程後から埋設工程前までに、第一接地部材と、第一接地部材および第二接地部材とを連結した接地極とのいずれかの接地抵抗を測定する測定工程を備え、その測定工程で所望の接地抵抗値と測定した接地抵抗値を比較し、必要に応じて、各工程を実施するか、省略するかを判断するようにしてもよい。
【００６４】
よって、打ち込み工程後に行われる測定工程は、その測定結果がすでに接地抵抗を満足するものであれば、これ以上の接地抵抗を低減する必要がないため、連結工程と、地質改善工程と、これ以降の測定工程を省略することができる。また、連結工程と接続工程後に行われる測定工程は、その測定結果がすでに接地抵抗を満足するものであれば、これ以上の接地抵抗を低減する必要がないため、地質改善工程と、これ以降の測定工程を省略することができる。また、連結工程と接続工程後に行われる測定工程は、その測定結果が接地抵抗を満足できないものであれば、地質改善工程を行うようにしてもよい。また、連結工程と接続工程と埋め戻し工程後に行われる測定工程は、その測定結果が接地抵抗を満足するものであれば、これ以上の接地抵抗を低減する必要がないため、接地極の施工を終えることができるが、その測定結果が接地抵抗を満足できないものであれば、新たに接地極の施工を行うようにしてもよい。
【００６５】
また、上記実施形態に係る打ち込み工程は、第一接地部材の打ち込みの途中であっても、適当な箇所で接地抵抗を測定し、その結果が接地抵抗を満足するものであれば、第一接地部材の所望の深さ以下の部分を切断するようにしてもよい。
【００６６】
また、上記実施形態に係る接地極は、第一接地部材と第二接地部材とを連結する例を説明したが、これに限定されるものではなく、第一接地部材と第二接地部材とを一体化したものであってもよい。
【００６７】
また、上記実施形態に係る埋設穴Ｈの底面の形状は、略円柱状に掘削する例を説明したが、これに限定されるものではなく、第二接地部材の形状に合わせて埋設穴Ｈの底の形状を選択することができ、また、上記実施形態に係る埋設穴Ｈの底面は、水平になるように掘削する例を説明したが、これに限定されるものではなく、底面が斜めに傾いた状態や、逆円錐状であってもよい。ただし、第二接地部材を底面の傾きに合わせて第一接地部材に連結することができ、接地極の埋設深さが省令による所望の深さ以上となる範囲で変更できるものとする。
【００６８】
また、上記実施形態に係る所望の深さを７５ｃｍ以上としたが、これに限定されるものではなく、省令の改正などで、必要深さが変った場合は、適宜、その深さを変更することができるものとする。
【図面の簡単な説明】
【００６９】
【図１】第一実施形態に係る接地極１であり、（ａ）は、接地極１の上面図であり、（ｂ）は、接地極１の断面図である。
【図２】第一実施形態に係る接地極１の施工方法について、（ａ）は、掘削工程Ｓ１、および、打ち込み工程Ｓ２を、（ｂ）は、配置工程Ｓ２、および、連結工程Ｓ４を、（ｃ）は、接続工程Ｓ５、埋め戻し工程Ｓ６、および、測定工程Ｓ７、を説明する図である。
【図３】第二実施形態に係る接地極１Ａであり、（ａ）は、接地極１Ａの上面図であり、（ｂ）は、接地極１Ａの断面図である。
【図４】第二実施形態に係る接地極１Ａの施工方法について、（ａ）は、掘削工程Ｓ１０１、および、打ち込み工程Ｓ１０２を、（ｂ）は、配置工程Ｓ１０３、および、連結工程Ｓ１０４、および、接続工程Ｓ１０５を、（ｃ）は、埋め戻し工程Ｓ１０６、および、測定工程Ｓ１０７、を説明する図である。
【図５】第三実施形態に係る接地極１Ｂであり、（ａ）は、接地極１Ｂの上面図であり、（ｂ）は、接地極１Ｂの断面図である。
【図６】第三実施形態に係る接地極１Ｂの施工方法について、（ａ）は、掘削工程Ｓ２０１、および、配置工程Ｓ２０２を、（ｂ）は、打ち込み工程Ｓ２０３、連結工程Ｓ２０４を、（ｃ）は、接続工程Ｓ２０５、埋め戻し工程Ｓ２０６、および、測定工程Ｓ２０７を説明する図である。
【図７】実施例に係る接地極であり、（ａ）は、条件Ａの接地極１の埋設状況を示す図であり、（ｂ）は、条件Ｂの接地極１の埋設状況を示す図であり、（ｃ）は、条件Ｃの接地極１Ｃの埋設状況を示す図である。
【符号の説明】
【００７０】
１、１Ａ、１Ｂ、１Ｃ…接地極、２…第一接地部材、３、３Ａ…第二接地部材、４…リード線、５…銅覆鋼棒、６…先端部、７…連結部、９、９Ａ、９Ｂ…円板部、１０…リード端子、１１…連結具、１１Ａ…連結部、１２、１２Ｂ…挿入口、１３Ｂ…可撓部、Ｐ…電柱、Ｐ１…接地端子、Ｈ…埋設穴Ｈ、Ｈ１…（埋設穴Ｈ）の底部Ｈ１、Ｒ…岩Ｒ、Ｓ１…（第一実施形態に係る）掘削工程、Ｓ２…打ち込み工程、Ｓ３…配置工程、Ｓ４…連結工程、Ｓ５…接続工程、Ｓ６…埋め戻し工程Ｓ７…測定工程、Ｓ１０１…（第二実施形態に係る）掘削工程、Ｓ１０２…打ち込み工程、Ｓ１０３…配置工程、Ｓ１０４…連結工程、Ｓ１０５…接続工程、Ｓ１０６…埋め戻し工程、Ｓ１０７…測定工程、Ｓ２０１…（第三実施形態に係る）掘削工程、Ｓ２０２…配置工程、Ｓ２０３…打ち込み工程、Ｓ２０４…連結工程、Ｓ２０５…接続工程、Ｓ２０６…埋め戻し工程、Ｓ２０７…測定工程
【図１】
2010146938.tif 000003
【図２】
2010146938.tif 000004
【図３】
2010146938.tif 000005
【図４】
2010146938.tif 000006
【図５】
2010146938.tif 000007
【図６】
2010146938.tif 000008
【図７】
2010146938.tif 000009